(57)【要約】      （修正有）【課題】車椅子に乗車したまま使用でき、受尿器と排出部に高低差が無くても、受尿器に排出した尿を直接排出部に排出して使用できる携帯式排尿支援装置を提供する。【解決手段】男性性器または女性性器から受尿器１１に排出された尿を、受尿器１１から導尿管１４を介して流路接続された吸引装置１５で導尿管１４を減圧することで吸引し、排出部１７に排出菅１６を介して流路接続された吸引装置１５で排出菅１６を加圧することにより、排出部１７から直接便器等Ｂに尿を排出できる。また、受尿器１１に排出された尿が、排尿センサー１２に流れ込んだことを検知し、排尿センサー１２によって排尿検知信号が発生したことを知らせる制御信号を送信機１９が発信し、受信機２１が制御信号を受信した時に吸引装置１５を作動させるコントローラー２５が取り付けられる。【選択図】図１
0003208707.tif 000002
【実用新案登録請求の範囲】
【請求項１】
男性性器または女性性器から受尿器に排出された尿を、前記受尿器から導尿管を介して流路接続された吸引装置で前記導尿管を減圧することで吸引し、排出部に排出菅を介して流路接続された前記吸引装置で前記排出菅を加圧することにより、前記排出部から直接便器等に尿を排出できる携帯式排尿支援装置。
【請求項２】
前記受尿器に排出された尿が、排尿センサーに流れ込んだことを検知し、前記排尿センサーによって排尿検知信号が発生したことを知らせる制御信号を送信機が発信し、受信機が前記制御信号を受信した時に前記吸引装置を作動させるコントローラーが取り付けられた請求項１に記載の携帯式排尿支援装置。
【請求項３】
便器に直接排尿を流せる排尿口が設置された前記排尿部に作動スイッチが取り付けられた、請求項１または請求項２に記載の携帯式排尿支援装置。
【請求項４】
ＤＣ６Ｖ〜１８Ｖの電池で作動する小型真空ポンプを吸引装置として使用した請求項１〜請求項３のいずれかに記載の携帯式排尿支援装置。
【考案の詳細な説明】
【技術分野】
【０００１】本考案は、車椅子等（以下、車椅子と称する）の乗車時に、多目的トイレに移動して便座に座り直すことなく、車椅子に乗車したまま排尿する排尿支援装置に関する。
【背景技術】
【０００２】車椅子に乗車中、車椅子から便座に座り直すことが難しい病人、障害者、老人等（以下、患者と称する）に対する負担を軽減するために、車椅子に乗車したまま受尿器に排尿した尿を、足の脹脛等に装着した蓄尿器に自然落下させ蓄尿し、その尿を帰宅時にトイレに流す等の処分を有する排尿支援装置が提案されている。【０００３】上記の排尿支援装置のうち、男性用のものでは男性性器が挿入可能な筒状体、女性用のものでは女性性器にかぶせて当てる筒状体を有し、排尿時にその筒状体の受尿器内に排尿することにより、接続された導尿管を介して重力による自然落下によって、足の脹脛等に装着した蓄尿器に蓄尿するようにしてある。【０００４】また別の技術では、寝たきり等の介護が必要な患者の排尿支援装置として、排尿をポンプ等の吸引装置で吸引し、蓄尿タンクに蓄尿する介護用排尿支援装置が提案されている。
【考案が解決しようとする課題】
【０００５】上述した従来の車椅子用排尿支援装置では、蓄尿器への蓄尿に関しては重力による尿の自然落下のみに頼っているため、受尿器と蓄尿器にある程度の高低差が必要であったり、尿を流れやすくするために、受尿器と蓄尿器を繋ぐ導尿管が太く扱いにくいものであったり、細い導尿管のものでは、受尿器から尿が溢れないように、患者が排尿速度を調整したり、受尿器に挿入する男性性器または女性性器にかぶせる受尿器の角度を調整したり、使用するのにかなりの慣れが必要であった。
【０００６】しかも、蓄尿器は足の脹脛等に装着しているため容量にも制限があり、排尿後に受尿器を洗浄すると、その洗浄した液体も蓄尿器に貯まってしまうため、受尿器を洗浄しないまま持ち歩かなければならないため不衛生な上に、蓄尿器に溜まった尿を後に便器に流す等の処分をしなければならなかった。
【０００７】また、上述した吸引装置を使用している従来の介護用排尿支援装置では、ポンプ等の吸引装置が非常に大きく、しかも採尿部に取り付けられたスイッチから吸引装置へは有線で接続されているため、採尿部から吸引装置への接続は、有線と尿の流路接続の両方が必要になり導尿管が太くなる上に、介護用排尿支援装置自体がＡＣ１００Ｖで作動するため携帯には不向きで、車椅子で使用することはできなかった。
【０００８】そこで本考案は、排尿した尿を蓄尿器に貯めることなく、直接便器等に排出できる携帯式排尿支援装置を提供することを目的とする。
また、本考案は、取り回しがし易い細い導尿管を使用し、誰にでも簡単に使用することができる携帯式排尿支援装置を提供することを目的とする。
【課題を解決するための手段】
【０００９】上記課題を解決するためになされた本考案の排尿支援装置は、排出部または受尿器に取り付けたスイッチ、または受尿器に取り付けた排尿センサーにより、ＤＣ６Ｖ〜１８Ｖで駆動する真空ポンプ等の吸引装置を無線通信で作動させ、受尿器内に排尿された尿を強制的に吸引して、蓄尿器に貯めることなく、排出部から便器に直接排出させることができる携帯式排尿支援装置である。
【考案の効果】
【００１０】本考案によれば、受尿器に排尿した尿を、受尿器または排出部に取り付けたスイッチ、または受尿器に取り付けた排尿センサーによって、真空ポンプ等の吸引装置を作動させ、自然落下に頼らず強制的に瞬時に吸引および排出させるため、患者は受尿器から尿が溢れないように排尿速度を調整したり、受尿器に挿入する男性性器の角度、または受尿器を女性性器にかぶせ当てる角度を調整したりすることなく、誰でも簡単に使用することができる。
【００１１】また、作動スイッチおよび排尿センサーと吸引装置の間は、無線通信で制御しているので、各部の接続は排尿の流路接続のみでよく、尿は真空ポンプ等の吸引装置で強制的に吸引および排出させるので、尿導管および排出菅を細くできるため取り扱いがしやすく、簡単に車椅子で使用できる。
【００１２】吸引装置は、ＤＣ６Ｖ〜１８Ｖの電池で駆動する小型真空ポンプ等なので、車椅子の背もたれと臀部の間や肘置き等に設置できるため、簡単に車椅子で使用できる。
【００１３】吸引装置で強制的に吸引および排出させるため、重力に左右されずに受尿器に排尿した尿を吸引および排出することができるので、受尿器と排出部の高低差の位置関係を気にする必要がなく、便器の代わりにしびん等の蓄尿タンクがあれば、床に直接敷いた布団の上でも使用することができる。
【００１４】さらに、蓄尿器に尿を貯めることなく便器等に直接排出させるため、蓄尿器を有する必要が無いので、蓄尿器の容量を気にすることなく使用後すぐに洗浄できるため、清潔に携帯することができる。
【００１５】本考案により、車椅子に乗車中、自力で多目的トイレ等には移動出来るが、車椅子から便座に座り直すことが難しい、または座り直すことが困難で介助が必要だった患者が、車椅子に乗車したまま排尿することができるため、患者および介助者の体力的負担を軽減するとともに、患者の自立を支援することができる携帯式排尿支援装置である。
【図面の簡単な説明】
【００１６】
【図１】本考案の一実施形態である排尿支援装置の構成を示す図
【考案を実施するための形態】
【００１７】以下、本考案の実施形態について図面を用いて説明する。
図１は本考案の一実施形態である排尿支援装置を示す構成図である。
【００１８】この排尿支援装置１０は、受尿器１１と、排尿センサー１２と、排尿濾過フィルタ１３と、導尿管１４と、コントロールボックス２４と、排出菅１６と、排出部１７とからなる。
【００１９】コントロールボックス２４には、吸引装置１５と、コントローラー２５と、受信機２１と、電源２３が内蔵されている。
【００２０】受尿器１１と吸引装置１５は、導尿管１４で流路接続され、導尿管１４には、排尿センサー１２と、排尿濾過フィルタ１３とが設けられている。
【００２１】排尿センサー１２には、送信機Ａ１９が内蔵されている。
【００２２】吸引装置１５と排出部１７は、排出菅１６で流路接続されている。
【００２３】排出部１７には、送信機Ｂ２０が内蔵され、作動スイッチ１８と排出口２２が設けれている。
【００２４】次に、排尿支援装置１０の使用動作について説明する。
男性性器Ａから受尿器１１に排尿すると、尿が排尿センサー１２に流れ込みむことで排尿検知信号が発生し、その排尿検知信号は送信機Ａ１９から制御信号として無線送信される。
【００２５】コントロールボックス２４の受信機２１が上記制御信号を受信すると、コントローラー２５によって電源２３から吸引装置１５に電気が送られ、吸引装置１５が作動する。
【００２６】吸引装置１５が作動すると、導尿管１４内が減圧され、受尿器１１に排出された尿は、排尿濾過フィルタ１３で異物を除去した後、導尿管１４を介して吸引装置１５方向に吸引される。
【００２７】前記吸引された尿は、同時に吸引装置１５によって加圧された排出菅１６を通り、排出部１７の排出口２２から排出される。
【００２８】受尿器１１に排尿された尿がなくなり、排尿センサー１２に尿が流れ込まなくなると、排尿センサー１２で発生していた排尿検知信号もなくなり、送信機Ａ１９から送信されいてた制御信号も停止するため、送信機Ａ１９と受信機２１の無線通信により、コントローラー２５によって電源２３から吸引装置１５に送られていた電気が数秒後に遮断され、吸引装置１５が停止する。
【００２９】〈変形例〉
前記排尿センサー１２での、送信機Ａ１９と受信機２１の間の無線通信による吸引装置１５の制御は、作動スイッチ１８の操作でも、送信機Ｂ２０と受信機２１が無線通信することにより、コントローラー２５によって吸引装置１５を制御できる。
【００３０】男性性器Ａから受尿器１１に排尿すると同時に、作動スイッチ１８を押すことにより、送信機Ｂ２０から制御信号が無線送信される。
【００３１】コントロールボックス２４の受信機２１が上記制御信号を受信すると、コントローラー２５によって電源２３から吸引装置１５に電気が送られ、吸引装置１５が作動する。
【００３２】吸引装置１５が作動すると、導尿管１４内が減圧され、受尿器１１に排出された尿は、排尿濾過フィルタ１３で異物を除去した後、導尿管１４を介して吸引装置１５方向に吸引される。
【００３３】前記吸引された尿は、同時に吸引装置１５によって加圧された排出菅１６を通り、排出部１７の排出口２２から排出される。
【００３４】受尿器１１への排尿が終了したら、押している作動スイッチ１８を離すことにより制御信号が無くなり、送信機Ｂ２０と受信機２１の無線通信により、コントローラー２５によって電源２３から吸引装置１５に送られていた電気が数秒後に遮断され、吸引装置１５が停止する。
【００３５】吸引装置１５はＤＣ６Ｖ〜１８Ｖの電池で駆動する小型真空ポンプ等なので、コントロールボックス２４は小さくでき、車椅子の背もたれと臀部の間や肘置き等に簡単に設置できる。
【００３６】片手で受尿器を持ち採尿し、もう一方の手で排出部を持って排尿を便器に直接排出するため、前記作動スイッチ１８を排出部１７に取り付けることで、片手でも直感的に簡単に操作できる。
【００３７】本実施形態では、排尿センサー１２で発生した排尿検知信号は、無線通信により送信機Ａ１９と受信機２１の間で送受するようにしたが、導尿管１４と平行に信号線を配線して、有線で排尿検知信号を送るようにしてもよい。
また、作動スイッチ１８の制御信号も、無線通信により送信機Ｂ２０と受信機２１の間で送受するようにしたが、排出菅１６と平行に信号線を配線して、有線で制御信号を送るようにしてもよい。
【００３８】以上、本考案を男性の一実施形態に基づいて説明したが、本考案はこれらに限られず、本考案の趣旨を逸脱しない範囲で便宜変形実施することができる。
【産業上の利用可能性】
【００３９】本考案は、患者の排尿処理を支援する排尿支援装置として利用することができる。
【符号の説明】
【００４０】１０  排尿支援装置
１１  受尿器
１２  排尿センサー
１３  排尿濾過フィルタ
１４  導尿管
１５  吸引装置（小型真空ポンプ等）
１６  排出菅
１７  排出部
１８  作動スイッチ
１９  送信機Ａ
２０  送信機Ｂ
２１  受信機
２２  排出口
２３  電源（乾電池等）
２４  コントロールボックス
２５  コントローラー
Ａ  男性性器（ペニス）
Ｂ  便器等
【図１】
0003208707.tif 000003